(57)【要約】  本技術は、時刻情報等を効率的に伝送することができるようにする送信装置、送信方法、受信装置、及び、受信方法に関する。送信装置は、プリアンブルとペイロードとを有する物理層フレームのストリームにおける所定の位置の時刻を表す時刻情報をプリアンブルに含む物理層フレームを生成して送信する。受信装置は、物理層フレームを受信し、時刻情報を用いて、処理を行う。本技術は、例えば、IPパケット等の放送に適用することができる。
2016140089.tif 000002
【特許請求の範囲】
【請求項１】
プリアンブルとペイロードとを有する物理層フレームのストリームにおける所定の位置の時刻を表す時刻情報を前記プリアンブルに含む前記物理層フレームを生成する生成部と、
前記物理層フレームを送信する送信部と
を備える送信装置。
【請求項２】
前記プリアンブルは、第１プリアンブルと、前記第１プリアンブルに続く第２プリアンブルとを有し、
前記時刻情報は、
前記第２プリアンブルに含まれ、
前記第２プリアンブルの先頭の位置の時刻を表す
請求項１に記載の送信装置。
【請求項３】
前記時刻情報は、
NTP(Network Time Protocol)で規定される時刻の情報、
3GPP(Third Generation Partnership Project)で規定される時刻の情報、
又は、PTP(Precise Time Protocol)で規定される時刻の情報である
請求項１に記載の送信装置。
【請求項４】
プリアンブルとペイロードとを有する物理層フレームのストリームにおける所定の位置の時刻を表す時刻情報を前記プリアンブルに含む前記物理層フレームを生成することと、
前記物理層フレームを送信することと
を含む送信方法。
【請求項５】
プリアンブルとペイロードとを有する物理層フレームのストリームにおける所定の位置の時刻を表す時刻情報を前記プリアンブルに含む前記物理層フレームを受信する受信部と、
前記物理層フレームのプリアンブルに含まれる前記時刻情報を用いて、処理を行う処理部と
を備える受信装置。
【請求項６】
前記プリアンブルは、第１プリアンブルと、前記第１プリアンブルに続く第２プリアンブルとを有し、
前記時刻情報は、
前記第２プリアンブルに含まれ、
前記第２プリアンブルの先頭の位置の時刻を表す
請求項５に記載の受信装置。
【請求項７】
前記時刻情報は、
NTP(Network Time Protocol)で規定される時刻の情報、
3GPP(Third Generation Partnership Project)で規定される時刻の情報、
又は、PTP(Precise Time Protocol)で規定される時刻の情報である
請求項５に記載の受信装置。
【請求項８】
プリアンブルとペイロードとを有する物理層フレームのストリームにおける所定の位置の時刻を表す時刻情報を前記プリアンブルに含む前記物理層フレームを受信することと、
前記物理層フレームのプリアンブルに含まれる前記時刻情報を用いて、処理を行うことと
を含む受信方法。
【請求項９】
BB(BaseBand)フレームの順番に関する順番情報をBBヘッダに含む前記BBフレームを生成する生成部と、
前記BBフレームを送信する送信部と
を備える送信装置。
【請求項１０】
前記順番情報は、前記BBフレームをカウントしたフレームカウント値である
請求項９に記載の送信装置。
【請求項１１】
前記順番情報は、前記BBフレームを含む物理層フレームのストリームにおける所定の位置の時刻を基準とする、前記BBフレームの位置の相対的な時刻を表すオフセット時刻である
請求項９に記載の送信装置。
【請求項１２】
前記順番情報は、所定のクロックをカウントしたクロックカウント値である
請求項９に記載の送信装置。
【請求項１３】
BB(BaseBand)フレームの順番に関する順番情報をBBヘッダに含む前記BBフレームを生成することと、
前記BBフレームを送信することと
を含む送信方法。
【請求項１４】
BB(BaseBand)フレームの順番に関する順番情報をBBヘッダに含む前記BBフレームを受信する受信部と、
前記BBフレームの前記BBヘッダに含まれる前記順番情報を用いて、処理を行う処理部と
を備える受信装置。
【請求項１５】
前記順番情報は、前記BBフレームをカウントしたフレームカウント値である
請求項１４に記載の受信装置。
【請求項１６】
前記順番情報は、前記BBフレームを含む物理層フレームのストリームにおける所定の位置の時刻を基準とする、前記BBフレームの位置の相対的な時刻を表すオフセット時刻である
請求項１４に記載の受信装置。
【請求項１７】
前記順番情報は、所定のクロックをカウントしたクロックカウント値である
請求項１４に記載の受信装置。
【請求項１８】
BB(BaseBand)フレームの順番に関する順番情報をBBヘッダに含む前記BBフレームを受信することと、
前記BBフレームの前記BBヘッダに含まれる前記順番情報を用いて、処理を行うことと
を含む受信方法。
【発明の詳細な説明】
【技術分野】
【０００１】
本技術は、送信装置、送信方法、受信装置、及び、受信方法に関し、特に、時刻情報等を効率的に伝送することができるようにする送信装置、送信方法、受信装置、及び、受信方法に関する。
【背景技術】
【０００２】
例えば、次世代地上放送規格の１つであるATSC（Advanced Television Systems Committee）3.0では、データ伝送に、主として、TS（Transport Stream）パケットではなく、UDP/IP、すなわち、UDP（User Datagram Protocol）パケットを含むIP（Internet Protocol）パケットを用いることが決定されている。ATSC3.0以外の放送方式でも、将来的に、IPパケットを用いることが期待されている。【０００３】
なお、TSを放送する場合には、送信側と受信側とで同期をとるための時刻情報として、PCR(Program Clock Reference)が伝送される（例えば、非特許文献１を参照）。
【先行技術文献】
【非特許文献】
【０００４】
【非特許文献１】「ARIB STD-B44  2.0版」、一般社団法人 電波産業会
【発明の概要】
【発明が解決しようとする課題】
【０００５】
ATSC3.0等の放送方式において、送信側と受信側とで同期をとるための時刻情報を伝送する場合には、その時刻情報の伝送を効率的に行うことが要請される。【０００６】
時刻情報以外のオーバヘッドとなる情報の伝送も効率的に行うことが要請される。【０００７】
本技術は、このような状況に鑑みてなされたものであり、時刻情報等を効率的に伝送することができるようにするものである。
【課題を解決するための手段】
【０００８】
本技術の第１の送信装置は、プリアンブルとペイロードとを有する物理層フレームのストリームにおける所定の位置の時刻を表す時刻情報を前記プリアンブルに含む前記物理層フレームを生成する生成部と、前記物理層フレームを送信する送信部とを備える送信装置である。【０００９】
本技術の第１の送信方法は、プリアンブルとペイロードとを有する物理層フレームのストリームにおける所定の位置の時刻を表す時刻情報を前記プリアンブルに含む前記物理層フレームを生成することと、前記物理層フレームを送信することとを含む送信方法である。【００１０】
本技術の第１の送信装置及び送信方法においては、プリアンブルとペイロードとを有する物理層フレームのストリームにおける所定の位置の時刻を表す時刻情報を前記プリアンブルに含む前記物理層フレームが生成されて送信される。【００１１】
本技術の第１の受信装置は、プリアンブルとペイロードとを有する物理層フレームのストリームにおける所定の位置の時刻を表す時刻情報を前記プリアンブルに含む前記物理層フレームを受信する受信部と、前記物理層フレームのプリアンブルに含まれる前記時刻情報を用いて、処理を行う処理部とを備える受信装置である。【００１２】
本技術の第１の受信方法は、プリアンブルとペイロードとを有する物理層フレームのストリームにおける所定の位置の時刻を表す時刻情報を前記プリアンブルに含む前記物理層フレームを受信することと、前記物理層フレームのプリアンブルに含まれる前記時刻情報を用いて、処理を行うこととを含む受信方法である。【００１３】
本技術の第１の受信装置及び受信方法においては、プリアンブルとペイロードとを有する物理層フレームのストリームにおける所定の位置の時刻を表す時刻情報を前記プリアンブルに含む前記物理層フレームが受信され、前記物理層フレームのプリアンブルに含まれる前記時刻情報を用いて、処理が行われる。【００１４】
本技術の第２の送信装置は、BB(BaseBand)フレームの順番に関する順番情報をBBヘッダに含む前記BBフレームを生成する生成部と、前記BBフレームを送信する送信部とを備える送信装置である。【００１５】
本技術の第２の送信方法は、BB(BaseBand)フレームの順番に関する順番情報をBBヘッダに含む前記BBフレームを生成することと、前記BBフレームを送信することとを含む送信方法である。【００１６】
本技術の第２の送信装置及び送信方法においては、BB(BaseBand)フレームの順番に関する順番情報をBBヘッダに含む前記BBフレームが生成されて送信される。【００１７】
本技術の第２の受信装置は、BB(BaseBand)フレームの順番に関する順番情報をBBヘッダに含む前記BBフレームを受信する受信部と、前記BBフレームの前記BBヘッダに含まれる前記順番情報を用いて、処理を行う処理部とを備える受信装置である。【００１８】
本技術の第２の受信方法は、BB(BaseBand)フレームの順番に関する順番情報をBBヘッダに含む前記BBフレームを受信することと、前記BBフレームの前記BBヘッダに含まれる前記順番情報を用いて、処理を行うこととを含む受信方法である。【００１９】
本技術の第２の受信装置及び受信方法においては、BB(BaseBand)フレームの順番に関する順番情報をBBヘッダに含む前記BBフレームが受信され、前記BBフレームの前記BBヘッダに含まれる前記順番情報を用いて、処理が行われる。【００２０】
なお、送信装置や受信装置は、独立した装置であっても良いし、１つの装置を構成している内部ブロックであっても良い。
【発明の効果】
【００２１】
本技術によれば、時刻情報等を効率的に伝送することができる。【００２２】
なお、ここに記載された効果は必ずしも限定されるものではなく、本開示中に記載されたいずれかの効果であってもよい。
【図面の簡単な説明】
【００２３】
【図１】本技術を適用した伝送システムの一実施の形態の構成例を示すブロック図である。
【図２】伝送システムで行われる放送のプロトコルスタックの例を示す図である。
【図３】時刻情報を説明する図である。
【図４】NTPパケットのフォーマットを示す図である。
【図５】時刻情報の配置位置の例を説明する図である。
【図６】時刻情報を、物理層フレームのペイロードの先頭に配置する場合の第１の配置例を説明する図である。
【図７】Genericパケットのタイプ情報を説明する図である。
【図８】時刻情報を、物理層フレームのペイロードの先頭に配置する場合の第２の配置例を説明する図である。
【図９】時刻情報を、物理層フレームのペイロードの先頭に配置する場合の第３の配置例を説明する図である。
【図１０】拡張タイプ情報(EXT_TYPE)を説明する図である。
【図１１】順番情報を説明する図である。
【図１２】順番情報を、BBフレームのBBヘッダに含めることがある場合の拡張タイプ情報(EXT_TYPE)を説明する図である。
【図１３】順番情報の第１の例を説明する図である。
【図１４】順番情報の第２の例を説明する図である。
【図１５】順番情報の第２の例としての16ビットのオフセット時刻を生成する方法の例を説明する図である。
【図１６】順番情報の第３の例を説明する図である。
【図１７】送信装置１０の構成例を示すブロック図である。
【図１８】送信装置１０が行う送信処理の例を説明するフローチャートである。
【図１９】受信装置２０の構成例を示すブロック図である。
【図２０】受信装置２０が行う受信処理を説明するフローチャートである。
【図２１】DVB-T.2の物理層フレームであるT2フレーム(T2frame)の構成を示す図である。
【図２２】本技術を適用したコンピュータの一実施の形態の構成例を示すブロック図である。
【発明を実施するための形態】
【００２４】
＜本技術を適用した伝送システムの一実施の形態＞
【００２５】
図１は、本技術を適用した伝送システムの一実施の形態の構成例を示すブロック図である。
【００２６】
図１において、伝送システムは、送信装置１０と受信装置２０から構成される。
【００２７】
送信装置１０は、例えば、番組等のサービスの送信（ディジタル放送やデータ伝送）を行う。すなわち、送信装置１０は、例えば、番組（テレビジョン放送番組）等のサービスを構成するコンポーネントとしての画像や音声のデータ等の送信の対象である対象データのストリームを、ディジタル放送信号として、伝送路３０を介して送信（伝送）する。
【００２８】
受信装置２０は、送信装置１０から伝送路３０を介して送信されてくるディジタル放送信号を受信し、元のストリームに復元して出力する。例えば、受信装置２０は、番組等のサービスを構成するコンポーネントとしての画像や音声のデータを出力する。
【００２９】
なお、図１の伝送システムは、ATSC（Advanced Television Systems Committee standards）や、DVB（Digital Video Broadcasting）．ISDB（Integrated Services Digital Broadcasting）等に準拠したデータ伝送、その他のデータ伝送に適用することができる。また、伝送路３０としては、地上波や、衛星回線、ケーブルテレビジョン網（有線回線）等を採用することができる。
【００３０】
＜プロトコルスタック＞
【００３１】
図２は、図１の伝送システムで行われる放送のプロトコルスタックの例を示す図である。
【００３２】
すなわち、図２は、図１の伝送システムにおいて扱われるデータ（パケット及びフレーム）のデータ構造を示している。
【００３３】
伝送システムでは、OSI(Open Systems Interconnection)参照モデルの第１層（物理層）L1、第２層（データリンク層）L2、及び、第３層（ネットワーク層）L3のデータが扱われる。
【００３４】
図２において、IPパケット(IP Packet)は、第３層L3のデータであり、Genericパケット(Generic Packet)は、第２層L2のデータである。BBフレーム(Baseband Frame)、FECフレーム(FEC Frame)、及び、物理層フレーム(Physical Frame)は、第１層L1のデータである。
【００３５】
図１の伝送システムでは、データ放送が、IPパケットを用いて行われる。
【００３６】
IPパケットは、IPヘッダ（IP Header）とデータ（Data）とから構成される。IPパケットのデータには、画像や音声等のデータが配置される。
【００３７】
送信装置１０では、IPパケットから、Genericパケットが構成（生成）される。
【００３８】
Genericパケットは、Genericヘッダ（Generic Header）とペイロード（Payload）とから構成される。Genericパケットのペイロードには、１又は複数のIPパケットが配置される。
【００３９】
送信装置１０では、Genericパケットから、BBフレームが構成される。
【００４０】
BBフレームは、BBヘッダ（Baseband Frame Header）とペイロード（Payload）とから構成される。BBフレームのペイロードには、１又は複数のGenericパケットが配置される。
【００４１】
送信装置１０では、１又は複数のBBフレームが必要に応じてスクランブルされ、そのBBフレームに、物理層のエラー訂正用のパリティ（Parity）が付加されることで、FECフレームが構成される。
【００４２】
さらに、送信装置１０では、１又は複数のFECフレームに対して、ビットインターリーブや、コンスタレーション上の信号点へのマッピング、時間方向や周波数方向へのインターリーブ等の物理層の処理が必要に応じて行われる。そして、送信装置１０では、物理層の処理後のFECフレームに、プリアンブルが付加され、物理層フレームが構成される。
【００４３】
すなわち、物理層フレームは、プリアンブル(BS, Preamble)とペイロード(Payload)とから構成される。物理層フレームのペイロードには、FECフレームが配置される。
【００４４】
図２では、物理層フレームは、例えば、ATSC3.0のATSCフレームと同様に、プリアンブルとして、"BS(BootStrap)"と"Preamble"とを有する。
【００４５】
ここで、"BS"を、第１プリアンブルBSともいうこととするとともに、"Preamble"を、第２プリアンブルPreambleともいうこととする。
【００４６】
第１プリアンブルBSは、例えば、DVB-T.2のT2フレームを構成するP1シンボルに対応し、第２プリアンブルPreambleは、例えば、T2フレームを構成するP2シンボルに対応する。
【００４７】
また、物理層フレームのペイロードは、例えば、例えば、T2フレームを構成するデータシンボルに対応する。
【００４８】
DVB-T2やATSC3.0で用いられる物理層フレーム構造は、100msないし200ms程度の長さで構成される。物理層フレームについては、プリアンブルを取得した後に、その後のペイロードを取得することが可能となる。
【００４９】
すなわち、受信装置２０は、物理層フレームを受信し、その物理層フレームのプリアンブルを復調する。さらに、受信装置２０は、物理層フレームのプリアンブルを用いて、その物理層フレームのペイロードを処理し、物理層フレームから、FECフレーム、BBフレーム、Genericパケット、及び、IPパケットを、その順で復元する。
【００５０】
なお、物理層フレームのペイロードの処理には、その物理層フレームのプリアンブルが必要となる。そのため、受信装置２０において、物理層フレームの途中から受信が開始された場合には、受信の開始後、次にプリアンブルが出現するまでの間に受信されたデータは破棄される。
【００５１】
＜時刻情報＞
【００５２】
図３は、時刻情報を説明する図である。
【００５３】
図１の伝送システムでは、図２で説明したように、送信装置１０において、IPパケットから、物理層フレームが構成され、その物理層フレームのストリームが、受信装置２０に送信される。
【００５４】
IPパケットでは、TSのPCRのような時刻情報が送信されない。そのため、送信装置１０と受信装置２０との間で同期をとるには、時刻情報を、物理層フレームのストリームに含めることが望ましい。
【００５５】
そこで、送信装置１０は、物理層フレームのストリームに、時刻情報を含めることができる。
【００５６】
時刻情報は、図３に示すように、物理層フレームのプリアンブルに含めることができる。
【００５７】
ここで、物理層フレームのプリアンブルのうちの第１プリアンブルBSとしては、例えば、ATSC3.0では、30ないし40ビット程度が想定されている。したがって、第プリアンブルBSは、時刻情報を含めるために十分なビット数でないことがある。
【００５８】
そこで、時刻情報は、物理層フレームのプリアンブルのうちの第２プリアンブルPreambleに含めることができる。
【００５９】
時刻情報は、物理層フレームのストリームにおける所定の位置の絶対的な時刻を表す。ストリームにおける所定の位置の時刻とは、所定の位置のビットが、送信装置１０で処理されている最中の所定のタイミングの時刻である。所定の位置のビットが送信装置１０で処理されている最中の所定のタイミングの時刻としては、例えば、送信装置１０のあるブロックから、所定の位置のビットが出力されたときのタイミングの時刻や、送信装置１０のあるブロックで、所定の位置のビットの処理が行われたタイミングの時刻等がある。
【００６０】
ここで、時刻情報が時刻を表す物理層フレームのストリームにおける所定の位置を、時刻位置ということとする。
【００６１】
時刻位置としては、例えば、時刻情報が含まれるプリアンブルを有する物理層フレームの先頭の位置（第１プリアンブルBSの先頭の位置）を採用することができる。
【００６２】
また、時刻位置としては、例えば、時刻情報が含まれるプリアンブルを有する物理層フレームの第１プリアンブルBSと第２プリアンブルPreambleとの境界の位置（第１プリアンブルBSの最後の位置）（第２プリアンブルPreambleの先頭の位置）を採用することができる。
【００６３】
さらに、時刻位置としては、例えば、時刻情報が含まれるプリアンブルを有する物理層フレームの第２プリアンブルPreambleの最後の位置を採用することができる。
【００６４】
その他、時刻位置としては、物理層フレームの任意の位置を採用することができる。
【００６５】
なお、物理層フレームにおいて、第１プリアンブルBSのサンプリング周波数と、第２プリアンブルPreamble以降のサンプリング周波数とは、異なることがあり得る。第１プリアンブルBSのサンプリング周波数と、第２プリアンブルPreamble以降のサンプリング周波数とが異なる場合、第１プリアンブルBSと、第２プリアンブルPreamble以降とでは、時刻のカウントの仕方が異なる。このため、時刻位置として、第１プリアンブルBSの先頭の位置を採用した場合、その時刻位置を基準とした時刻のカウントについては、第１プリアンブルBSと、第２プリアンブルPreamble以降とで、カウントの仕方を変更する必要があることがある。一方、時刻位置として、第２プリアンブルPreambleの先頭の位置を採用した場合、その時刻位置を基準とした時刻のカウント、すなわち、第２プリアンブルPreamble以降の時刻のカウントについては、そのカウントの仕方を変更する必要はない。
【００６６】
そこで、図３では、時刻位置として、時刻情報が含まれるプリアンブルを有する物理層フレームの第２プリアンブルPreambleの先頭の位置（第１プリアンブルBSと第２プリアンブルPreambleとの境界の位置）が採用されている。
【００６７】
プリアンブル（第１プリアンブルBS、第２プリアンブルPreamble）は、各物理層フレームの決まった位置、すなわち、先頭に存在し、物理層フレームを処理するにあたって、必ず、最初に処理される。したがって、受信装置２０では、プリアンブルに含まれる時刻情報を、容易に取得して処理することができる。
【００６８】
また、プリアンブルは、比較的ロバストに伝送されるので、そのようなプリアンブルも比較的ロバストに伝送することができる。
【００６９】
ここで、時刻情報としては、例えば、NTP(Network Time Protocol)で規定されている時刻の情報や、3GPP(Third Generation Partnership Project)で規定されている時刻の情報、PTP(Precise Time Protocol)で規定される時刻の情報、GPS(Global Positioning System)情報に含まれる時刻の情報、その他独自に決定された形式の時刻の情報等の任意の時刻の情報を採用することができる。
【００７０】
図４は、NTPパケットのフォーマットを示す図である。
【００７１】
2ビットのL1は、Leap Indicatorの略であって、現在月の最後の１分に、うるう秒を挿入又は削除することを示す。3ビットのVNは、Version Numberの略であって、NTPのバージョンを示す。3ビットのModeは、NTPの動作モードを示す。
【００７２】
8ビットのStratumは、階層を示し、当該階層に応じて符号化される。8ビットのPollは、ポーリング間隔として、連続するNTPメッセージの最大間隔（秒単位）を示す。8ビットのPrecisionは、システムクロックの精度（秒単位）を示す。
【００７３】
Root Delayは、ルート遅延として、参照時刻までの往復の遅延をNTP短形式で示す。Root Dispersionは、参照時刻までの合計遅延の分散をNTP短形式で示す。Reference IDは、参照時刻を表す識別子を示す。放送システムでは、NULLを示す"0000"を格納することができる。
【００７４】
Reference Timestampは、参照タイムスタンプとして、システム時刻が最後に補正された時刻をNTP長形式で示す。Origin Timestampは、開始タイムスタンプとして、クライアントからサーバへリクエスト送出したクライアントの時刻をNTP長形式で示す。放送システムでは、"0"を格納することができる。
【００７５】
Receive Timestampは、受信タイムスタンプとして、クライアントからのリクエストを受信したサーバの時刻をNTP長形式で示す。放送システムでは、"0"を格納する。Transmit Timestampは、送信タイムスタンプとして、クライアントへの応答を送出したサーバの時刻をNTP長形式で示す。
【００７６】
その他、NTPパケットは、拡張用のフィールドであるExtension Field 1や、Extension Field 2、さらには、Key Identifierやdgst（メッセージダイジェスト）を、必要に応じて有する。
【００７７】
時刻情報としては、NTPパケットのReference Timestamp等のタイムスタンプと同様の形式で表される64ビットの時刻の情報を採用することができる。
【００７８】
ここで、NTPパケットのタイムスタンプの64ビットの時刻については、リープ秒に起因して、時刻が不連続になる問題があるが、物理層フレームに含める時刻情報としては、十分な粒度がある。
【００７９】
また、時刻情報としては、NTPパケットのタイムスタンプの他、3GPPで規定されている時刻の情報、すなわち、例えば、3GPP TS 36 331において規定されている時刻の情報であるtimeInfo-r11を採用することができる。
【００８０】
timeInfo-r11は、39ビットのtimeInfoUTC-r11、2ビットのdayLightSavingTime-r11、8ビットのleapSeconds-r11、及び、7ビットのlocalTimeOffset-r11の56ビットで構成される。timeInfo-r11については、物理層フレームに含める時刻情報としては、粒度がやや不足気味ではあるが、リープ秒の問題は発生しない。
【００８１】
その他、時刻情報としては、PTPで規定される時刻の情報、すなわち、PTPパケットについて、IEEE1588で規定されている時刻を表す80ビットを採用することができる。PTPパケットの時刻を表す80ビットについては、その80ビットのうちの48ビットが、秒単位の時刻を表し、残りの32ビットがナノ秒単位の時刻を表す。したがって、PTPで規定される時刻の情報は、物理層フレームに含める時刻情報としては、十分な粒度があり、正確な時刻を表すことができる。時刻情報は、受信装置１０で正確な時刻を再生する観点から、より正確な時刻を表すことが望ましく、PTPで規定される時刻の情報を、物理層フレームに含める時刻情報として採用した場合には、正確な時刻情報を伝送し、受信装置１０で正確な時刻を再生することができる。さらに、PTPで規定される時刻の情報については、リープ秒の問題は発生しない。
【００８２】
＜時刻情報の配置位置＞
【００８３】
図５は、時刻情報の配置位置の例を説明する図である。
【００８４】
図３では、時刻情報を、物理層フレームのプリアンブルに配置する（含める）こととしたが、時刻情報は、物理層フレームのプリアンブルの他、例えば、物理層フレームのペイロードに配置することができる。
【００８５】
図５では、時刻情報が、物理層フレームのペイロードの先頭部分に配置されている。
【００８６】
時刻情報を、物理層フレームのペイロードの先頭部分に配置する場合には、受信装置２０では、物理層フレームのプリアンブル（第１プリアンブルBS、第２プリアンブルPreamble）の処理後に、ペイロードの先頭に配置された時刻情報を取得することができる。
【００８７】
＜時刻情報をペイロードに配置する場合の第１の配置例＞
【００８８】
図６は、時刻情報を、物理層フレームのペイロードの先頭に配置する場合の第１の配置例を説明する図である。
【００８９】
第１の配置例では、時刻情報は、物理層フレームのペイロードの先頭としての、物理層フレームのペイロードの先頭のBBフレームの先頭のGenericパケットのペイロードに配置される。
【００９０】
図６は、Genericパケットの構成例を示している。
【００９１】
図６のGenericパケットにおいて、Genericヘッダの先頭には、3ビットのタイプ情報（Type）が設定される。このタイプ情報には、Genericパケットのペイロードに配置されるデータのタイプに関する情報が設定される。
【００９２】
Genericパケットのペイロードに、時刻情報、その他、シグナリングのためのシグナリング情報が配置される場合、Genericヘッダのタイプ情報には、例えば、"100"が設定される。また、Genericヘッダにおいて、"100"が設定されたタイプ情報の次は、1ビットのリザーブド領域（Res：Reserved）とされ、その次に、ヘッダモード（HM：Header Mode）が配置される。
【００９３】
ヘッダモードとして、"0"が設定された場合、それに続いて、11ビットのレングス情報（Length（LSB））が配置される。このレングス情報は、Genericパケットのペイロードの長さに設定される。一方、ヘッダモードとして、"1"が設定された場合、それに続いて、11ビットのレングス情報（Length（LSB））と、5ビットのレングス情報（Length（MSB））との合計16ビットのレングス情報が配置され、さらに、3ビットのリザーブド領域（Res）が設けられる。
【００９４】
ヘッダモードとして"0"が設定された場合、レングス情報（Length（LSB））は、11ビットであり、その11ビットのレングス情報によって、Genericパケットのペイロードの長さとして、0〜2047（=211-1）バイトの範囲の値を表すことができる。しかしながら、11ビットのレングス情報では、2048バイト以上のペイロードの長さを表すことができない。そこで、ペイロードに、2048バイト以上のデータが配置される場合には、ヘッダモードとして"1"が設定される。この場合、Genericヘッダの領域として1バイトが追加され、レングス情報が、16ビットとなる。この16ビットのレングス情報によって、2048バイト以上のペイロードの長さを表すことができる。
【００９５】
Genericパケットにおいては、以上のように構成されるGenericヘッダに続いて、ペイロードが配置される。ここでは、Genericヘッダのタイプ情報として、"100"が設定されているため、ペイロードには、時刻情報を含むシグナリング情報が配置される。
【００９６】
図７は、図６のGenericパケットのタイプ情報を説明する図である。
【００９７】
GenericパケットのペイロードにIPv4のIPパケットが配置される場合、タイプ情報には、"000"が設定される。また、ペイロードに、圧縮されたIPパケットが配置される場合、タイプ情報には、"001"が設定される。さらに、ペイロードに、MPEG2-TS方式のTSパケットが配置される場合、タイプ情報には、"010"が設定される。
【００９８】
また、ペイロードに、時刻情報等のシグナリング情報が配置される場合には、タイプ情報には、"100"が設定される。なお、図７において、"011"，"101"，"110"の3値のタイプ情報は、未定義（Reserved）となっている。また、3値の未定義（Reserved）だけでは、タイプ情報の拡張に不足が生じる場合には、タイプ情報に、"111"を設定することで、タイプ情報（の領域）を、さらに拡張することができる。
【００９９】
＜時刻情報をペイロードに配置する場合の第２の配置例＞
【０１００】
図８は、時刻情報を、物理層フレームのペイロードの先頭に配置する場合の第２の配置例を説明する図である。
【０１０１】
第２の配置例では、時刻情報は、物理層フレームのペイロードの先頭としての、物理層フレームのペイロードの先頭のBBフレームの先頭のGenericパケットのヘッダに配置される。
【０１０２】
図８は、Genericパケットの構成例を示している。
【０１０３】
図６で説明したように、Genericパケットにおいて、Genericヘッダの先頭の3ビットのタイプ情報（Type）には、Genericパケットのペイロードに配置されるデータのタイプに関するタイプ情報が設定される。
【０１０４】
第２の配置例では、Genericヘッダにおいて、3ビットのタイプ情報には、"000"，"001"，又は"010"が設定される。
【０１０５】
図７で説明したように、タイプ情報として、"000"が設定された場合、ペイロードには、IPv4のIPパケットが配置され、"001"が設定された場合、ペイロードには、圧縮されたIPパケットが配置される。また、タイプ情報として、"010"が設定された場合、ペイロードには、TSパケットが配置される。
【０１０６】
Genericヘッダにおいて、"000"，"001"，又は"010"が設定されたタイプ情報の次には、1ビットのパケット設定情報（PC：Packet Configuration）が配置される。パケット設定情報として、"0"が設定された場合、Genericヘッダはノーマルモード（Normal mode）となって、その次に配置されるヘッダモード（HM）に応じて、11ビットのレングス情報（Length）、又は、16ビットのレングス情報及び3ビットのリザーブド領域（Res）が配置される。そして、Genericヘッダに続くペイロードには、Genericヘッダのタイプ情報に応じて、IPv4のIPパケット、圧縮されたIPパケット、又はTSパケットが配置される。
【０１０７】
一方、パケット設定情報（PC）として、"1"が設定された場合には、Genericヘッダはシグナリングモード（Signaling mode）となって、その次に配置されるヘッダモード（HM）に応じて、レングス情報（Length）が配置される。すなわち、ヘッダモードとして、"0"が設定された場合、それに続いて、11ビットのレングス情報（Length（LSB））が配置される。さらに、Genericヘッダが拡張されて、レングス情報の次に、時刻情報を含むシグナリング情報（Signaling）が配置される。
【０１０８】
また、パケット設定情報（PC）として"1"が設定された場合に、ヘッダモード（HM）として"1"が設定されているときには、ヘッダモードに続いて、16ビットのレングス情報（Length）と3ビットのリザーブド領域（Res）が配置される。さらに、Genericヘッダが拡張されて、リザーブド領域（Res）の次に、時刻情報を含むシグナリング情報（Signaling）が配置される。
【０１０９】
以上のシグナリング情報までを、Genericヘッダ（拡張ヘッダ）として、その後に、ペイロードが配置される。ペイロードには、Genericヘッダのタイプ情報に応じて、IPv4や圧縮されたIPパケット等が配置される。
【０１１０】
＜時刻情報をペイロードに配置する場合の第３の配置例＞
【０１１１】
図９は、時刻情報を、物理層フレームのペイロードの先頭に配置する場合の第３の配置例を説明する図である。
【０１１２】
第３の配置例では、時刻情報は、物理層フレームのペイロードの先頭としての、物理層フレームのペイロードの先頭のBBフレームのBBヘッダに配置される。
【０１１３】
図９は、BBフレームの構成例を示している。
【０１１４】
図９において、BBフレームは、BBヘッダとペイロード（Payload）から構成される。BBヘッダには、1又は2バイトのヘッダ（Header）の他、1又は2バイトのオプショナルフィールド（Optional Field）と、拡張フィールド（Extension Field）とを配置することができる。
【０１１５】
ヘッダ（Header）の先頭には、1ビットのモード（MODE）が設定される。
【０１１６】
1ビットのモード（MODE）として、"0"が設定された場合には、7ビットのポインタ情報（Pointer(LSB)）が配置される。なお、ポインタ情報は、BBフレームのペイロードに配置されるGenericパケットの位置を示すための情報である。例えば、あるBBフレームに最後に配置されたGenericパケットのデータが、次のBBフレームにまたがって配置される場合に、ポインタ情報として、次のBBフレームの先頭に配置されるGenericパケットの位置情報を設定することができる。
【０１１７】
また、モード（MODE）として、"1"が設定された場合には、7ビットのポインタ情報（Pointer(LSB)）と、6ビットのポインタ情報（Pointer(MSB)）と、2ビットのオプショナルフラグ（OPTI：OPTIONAL）とが配置される。オプショナルフラグは、オプショナルフィールド（Optional Field）と、拡張フィールド（Extension Field）を配置して、BBヘッダを拡張するかどうかを示す情報である。
【０１１８】
オプショナルフィールドと拡張フィールドの拡張を行わない場合、オプショナルフラグは、"00"が設定される。また、オプショナルフィールドの拡張のみを行う場合、オプショナルフラグは、"01"又は"10"が設定される。なお、オプショナルフラグとして"01"が設定された場合、オプショナルフィールドには、1バイト(8ビット)のパディングが行われる。また、オプショナルフラグとして"10"が設定された場合、オプショナルフィールドには、2バイト(16ビット)のパディングが行われる。
【０１１９】
また、オプショナルフィールドと拡張フィールドの拡張を行う場合、オプショナルフラグは、"11"が設定される。この場合、オプショナルフィールドの先頭には、3ビットの拡張タイプ情報(TYPE(EXT_TYPE))が設定される。この拡張タイプ情報には、拡張タイプ情報の次に配置される拡張レングス情報（EXT_Length(LSB)）と拡張フィールドのタイプ（Extension type）に関する情報が設定される。
【０１２０】
第３の配置例では、拡張フィールド（拡張ヘッダ）に、時刻情報を含むシグナリング情報が配置される。
【０１２１】
すなわち、第３の配置例では、オプショナルフラグ（OPTI）として"11"が設定され、オプショナルフィールドと拡張フィールドの拡張が行われる。さらに、オプショナルフィールドの拡張タイプ情報(TYPE(EXT_TYPE))として"011"が設定され、拡張フィールドに、時刻情報を含むシグナリング情報が配置される。
【０１２２】
図１０は、図９の拡張タイプ情報(TYPE(EXT_TYPE))を説明する図である。
【０１２３】
拡張タイプ情報には、その拡張タイプ情報の次に配置される拡張レングス情報（EXT_Length(LSB)）と拡張フィールドのタイプ（Extension type）に関する情報が設定される。
【０１２４】
すなわち、拡張レングス情報を配置し、スタッフィングバイト（Stuffing Bytes）のみが配置される場合、拡張タイプ情報は、"000"が設定される。また、拡張レングス情報を配置せずに、拡張フィールドに、ISSY（Input Stream Synchronizer）が配置される場合、拡張タイプ情報は、"001"が設定される。さらに、拡張レングス情報を配置し、拡張フィールドに、ISSYとともに、スタッフィングバイトが配置される場合、拡張タイプ情報は、"010"が設定される。
【０１２５】
また、拡張レングス情報を配置し、拡張フィールドに、時刻情報を含むシグナリング情報が配置される場合、拡張タイプ情報は、"011"が設定される。この場合、スタッフィングバイトを配置するかどうかは任意である。なお、図１０において、"100"ないし"111"の拡張タイプ情報は、未定義（Reserved）となっている。
【０１２６】
以上のように、時刻情報は、物理層フレームのペイロードの先頭に配置することができる。
【０１２７】
＜順番情報＞
【０１２８】
図１１は、順番情報を説明する図である。
【０１２９】
図１の伝送システムについては、受信装置２０において、BBフレームを順番通りに処理する仕組みがあることが望ましい。
【０１３０】
そこで、送信装置１０は、BBフレームの順番に関する順番情報を、BBフレームに含めることができる。
【０１３１】
順番情報は、図１１に示すように、BBフレームのBBヘッダに含めることができる。
【０１３２】
ここで、以下では、時刻情報は、例えば、図３で説明したように、物理層フレームのプリアンブル（第１プリアンブルBS、第２プリアンブルPreamble）に含まれることとする。
【０１３３】
図１１は、BBフレームの構成例を示している。
【０１３４】
図１１において、BBフレームは、BBヘッダとペイロード（Payload）から構成される。
【０１３５】
BBヘッダは、1又は2バイトのヘッダ（Base Header）で構成される。
【０１３６】
さらに、BBヘッダには、ヘッダ（Base Header）の他、1又は2バイトのオプショナルフィールド（Optional Field）と、拡張フィールド（Extension Field）とを配置することができる。
【０１３７】
ヘッダ（Header）の先頭には、1ビットのモード（MODE）が設定される。
【０１３８】
1ビットのモード（MODE）として、"0"が設定された場合には、7ビットのポインタ情報（Pointer(LSB)）が配置される。ポインタ情報は、図９で説明したように、BBフレームのペイロードに配置されるGenericパケットの位置を示す。
【０１３９】
モード（MODE）として、"1"が設定された場合には、13=7+6ビットのポインタ情報（Pointer(LSB)及びPointer(MSB)）と、2ビットのオプショナルフラグ（OPTI：OPTIONAL）とが配置される。
【０１４０】
13ビットのポインタ情報は、7ビットのポインタ情報（Pointer(LSB)）と、6ビットのポインタ情報（Pointer(MSB)）とから構成される。7ビットのポインタ情報（Pointer(LSB)）、及び、6ビットのポインタ情報（Pointer(MSB)）は、13ビットのポインタ情報の下位ビット及び上位ビットを、それぞれ表す。オプショナルフラグは、図９で説明したように、オプショナルフィールド（Optional Field）と、拡張フィールド（Extension Field）を配置して、ヘッダを拡張するかどうかを示す。
【０１４１】
オプショナルフィールドと拡張フィールドの拡張を行わない場合、オプショナルフラグは、"00"が設定される。また、オプショナルフィールドの拡張のみを行う場合、オプショナルフラグは、"01"又は"10"が設定される。
【０１４２】
オプショナルフィールドの先頭には、拡張フィールド(Extension Field)に関する3ビットの拡張タイプ情報(EXT_TYPE)が設定される。
【０１４３】
オプショナルフラグが、"01"又は"10"である場合、拡張タイプ情報は、"000"に設定される。さらに、オプショナルフィールドの3ビットの拡張タイプ情報"000"の後に、5ビットの"00000"が設定される。
【０１４４】
オプショナルフラグが、"10"である場合、オプショナルフィールドについては、3ビットの拡張タイプ情報"000"、及び、5ビットの"00000"に続いて、8ビットの"00000000"が設定される。
【０１４５】
オプショナルフラグが、"11"である場合、拡張タイプ情報は、拡張フィールドのタイプ(type of Extention field)に応じて設定され、拡張タイプ情報の後に、5ビットのEXT_Length(LSB)、又は、その5ビットのEXT_Length(LSB)と、8ビットのEXT_Length(MSB)とが設定される。
【０１４６】
EXT_Length(LSB)は、例えば、拡張フィールドのサイズに関する情報の下位6ビットを表し、EXT_Length(MSB)は、例えば、拡張フィールドのサイズに関する情報の上位8ビットを表す。
【０１４７】
なお、EXT_Length(MSB)は、拡張タイプ情報(EXT_TYPE)が所定値になっている場合には、存在しない。EXT_Length(MSB)が存在する場合、拡張フィールドのサイズは、5ビットのEXT_Length(LSB)を下位ビットとするとともに、8ビットのEXT_Length(MSB)を上位ビットとする13ビットで表される。また、EXT_Length(MSB)が存在しない場合、拡張フィールドのサイズは、5ビットのEXT_Length(LSB)だけで表される。
【０１４８】
オプショナルフィールドと拡張フィールドの拡張を行う場合、オプショナルフラグは、"11"が設定される。
【０１４９】
そして、順番情報は、拡張タイプ情報(EXT_TYPE)に応じて、拡張フィールド（拡張ヘッダ）に配置される。
【０１５０】
すなわち、順番情報を、BBフレームのBBヘッダに含める場合には、オプショナルフラグ（OPTI）として"11"が設定され、オプショナルフィールドと拡張フィールドの拡張が行われる。さらに、オプショナルフィールドの拡張タイプ情報（EXT_TYPE）として、例えば、"001"が設定され、拡張フィールドに、順番情報が配置される。
【０１５１】
図１２は、順番情報を、BBフレームのBBヘッダに含めることがある場合の図１１の拡張タイプ情報(EXT_TYPE)を説明する図である。
【０１５２】
図１２では、拡張タイプ情報が"000"である場合、拡張フィールド(Extension Field)には、例えば、スタッフィングバイト（Stuffing Bytes）が配置される。
【０１５３】
また、拡張タイプ情報が"001"である場合、拡張フィールド(Extension Field)には、例えば、順番情報が配置される。
【０１５４】
図１２では、その他の値の拡張タイプ情報は、予約(Reserved)になっている。
【０１５５】
なお、BBフレームのペイロードに配置されるGenericパケットは、順番通りに配置され、Genericパケットのペイロードに配置されるIPパケットも、順番通り配置されることとする。
【０１５６】
この場合、BBフレームの順番が、順番情報によって維持されるときには、BBフレームのペイロードに配置されるGenericパケットの順番も維持され、Genericパケットのペイロードに配置されるIPパケットの順番も維持される。
【０１５７】
＜順番情報の第１の例＞
【０１５８】
図１３は、順番情報の第１の例を説明する図である。
【０１５９】
順番情報としては、例えば、所定のクロックをカウントしたクロックカウント値を採用することができる。
【０１６０】
ここで、DVB-T2やC2，S2では、ISSYが規定されている。
【０１６１】
ISSYの構成要素には、タイムスタンプとして機能するISCR(Input Stream Clock Reference)がある。
【０１６２】
ISSYのサイズは、2バイト又は3バイトであり、ISCRには、ShortとLongの2種類がある。
【０１６３】
ShortのISCRのサイズは、15ビットであり、その15ビットのShortのISCRは、ISCRがShortのISCRであることを識別するための1ビットの識別情報とともに、2バイト（16ビット）のISSYを構成する。
【０１６４】
LongのISCRのサイズは、22ビットであり、その22ビットのLongのISCRは、ISCRがLongのISCRであることを識別するための2ビットの識別情報とともに、3バイト（24ビット）のISSYを構成する。
【０１６５】
ISCRは、サンプリングクロックをカウントしたカウント値であり、順番情報としては、このようなISCRと同様な情報であるクロックカウント値を採用することができる。
【０１６６】
図１３では、例えば、送信装置１０において、その送信装置１０のシステムクロックが、カウンタによってカウントされ、そのシステムクロックをカウントした、例えば、24ビットのクロックカウント値が出力される。
【０１６７】
フレームのBBヘッダに含める順番情報としては、例えば、そのBBフレームが構成されるとき等にカウンタが出力するクロックカウント値を採用することができる。
【０１６８】
順番情報として、クロックカウント値を採用する場合には、受信装置２０において、順番情報としてのクロックカウント値を用いて、BBフレームどうし（ひいては、Genericパケットどうし、さらには、IPパケットどうし）の間の順番を維持することができる。さらに、受信装置２０において、BBフレームどうしの間の時間の調整（維持）を行うことができる。
【０１６９】
なお、順番情報として、例えば、上述のように、24ビットのクロックカウント値を採用する場合において、カウンタがカウントするクロックが、例えば、ATSC3.0のサンプリングクロックと同様の6.144MHzのクロックであるとすると、24ビットのクロックカウント値によれば、1/(6.144MHz)×224＝2.73秒をカウントすることができる。
【０１７０】
また、順番情報として、例えば、16ビットのクロックカウント値を採用する場合において、カウンタがカウントするクロックが、例えば、上述のように、6.144MHzのクロックであるとすると、16ビットのクロックカウント値によれば、1/(6.144MHz)×216＝10.6ミリ秒をカウントすることができる。
【０１７１】
順番情報として、6.144MHzのクロックをカウントするクロックカウント値を採用する場合には、物理層フレームの長さを考慮すると、クロックカウント値は、16ビットよりも24ビット（3バイト）とすることが望ましい。
【０１７２】
＜順番情報の第２の例＞
【０１７３】
図１４は、順番情報の第２の例を説明する図である。
【０１７４】
順番情報としては、例えば、BBフレームを含む物理層フレームのストリームにおける所定の位置の時刻を基準とする、BBフレームの位置の相対的な時刻を表すオフセット時刻を採用することができる。
【０１７５】
所定の位置としては、例えば、物理層フレームのプリアンブルに含まれる時刻情報が時刻を表す時刻位置、すなわち、例えば、第２プリアンブルPreambleの先頭の位置を採用することができる。
【０１７６】
この場合、BBフレームのBBヘッダに含まれる順番情報としてのオフセット時刻は、そのBBフレームを含む物理層フレームのプリアンブルに含まれる時刻情報が表す時刻を基準とする、BBフレームの位置の時刻となる。
【０１７７】
図１４では、物理層フレームのプリアンブルに含まれる時刻情報が表す時刻位置の時刻を基準とする、その物理層フレームのペイロードの最初のBBフレーム(BBF)の位置の時刻が、50.5ミリ秒になっている。
【０１７８】
また、図１４では、物理層フレームのプリアンブルに含まれる時刻情報が表す時刻位置の時刻を基準とする、その物理層フレームのペイロードの2番目のBBフレーム(BBF)の位置の時刻が、73.79ミリ秒になっている。
【０１７９】
ここで、順番情報としてのオフセット時刻の単位時間が、例えば、10マイクロ秒であることとすると、例えば、16ビット（2バイト）のオフセット時刻によれば、0.65536秒（約655ミリ秒）＝10マイクロ秒×216の時間を表すことができる。
【０１８０】
0.65536秒は、例えば、ATSC3.0の物理層フレーム等の最大の長さ以上の時間である。したがって、16ビットのオフセット時刻を順番情報として用いることにより、各BBフレームの時刻を、そのBBフレームが含まれる物理層フレームのプリアンブルに含まれる時刻情報が表す時刻位置の時刻を基準として表すことができる。
【０１８１】
図１５は、順番情報の第２の例としての16ビットのオフセット時刻を生成する方法の例を説明する図である。
【０１８２】
図１５では、例えば、送信装置１０において、時刻位置、すなわち、物理層フレームの第２プリアンブルの先頭の位置の時刻と、その物理層フレームに含まれるBBフレーム(BBF)の先頭の位置の時刻との差分が、16ビットのオフセット時刻として、演算部で演算される。
【０１８３】
順番情報として、オフセット時刻を採用する場合には、クロックカウント値を採用する場合と同様に、受信装置２０において、順番情報としてのクロックカウント値を用いて、BBフレームどうしの間の順番や時間を維持することができる。
【０１８４】
＜順番情報の第３の例＞
【０１８５】
図１６は、順番情報の第３の例を説明する図である。
【０１８６】
順番情報としては、例えば、BBフレームをカウントしたフレームカウント値を採用することができる。
【０１８７】
図１６では、例えば、送信装置１０において、その送信装置１０で構成されるBBフレームが、カウンタによってカウントされ、そのBBフレームをカウントした、例えば、8ビットのフレームカウント値が出力される。
【０１８８】
フレームのBBヘッダに含める順番情報としては、例えば、そのBBフレームが構成されたとき等にカウンタが出力するフレームカウント値を採用することができる。
【０１８９】
順番情報として、フレームカウント値を採用する場合には、クロックカウント値や、オフセット時刻を採用する場合と同様に、受信装置２０において、順番情報としてのフレームカウント値を用いて、BBフレームどうしの間の順番を維持することができる。但し、順番情報として、フレームカウント値を採用する場合には、受信装置２０において、BBフレームどうしの間の時間を維持することは困難になる。
【０１９０】
なお、順番情報として、フレームカウント値を採用する場合、各物理層フレームにおいて、BBフレームの順番を維持するためには、フレームカウント値は、物理層フレームに含められる最大のBBフレーム数までをカウントすることができれば十分である。
【０１９１】
したがって、フレームカウント値のサイズとしては、例えば、8ビット（1バイト）を採用することができる。
【０１９２】
ここで、例えば、本実施の形態のように、クロックカウント値、オフセット時刻、及び、フレームカウント値のサイズとして、それぞれ、24ビット、16ビット、及び、8ビットを採用する場合には、BBフレームのオーバヘッドが少ないという観点からは、8ビットのフレームカウント値が最も有利である。
【０１９３】
＜送信装置１０の構成例＞
【０１９４】
図１７は、図１の送信装置１０の構成例を示すブロック図である。
【０１９５】
図１７において、送信装置１０は、順番情報取得部６１、時刻情報取得部６２、プリアンブル生成部６３、コンポーネント取得部６４、エンコーダ６５、フレーム生成部６６、送信部６７、及び、アンテナ６８を有する。
【０１９６】
順番情報取得部６１は、順番情報を取得（生成）し、フレーム生成部６６に供給する。
【０１９７】
時刻情報取得部６２は、時刻情報を取得し、プリアンブル生成部６３に供給する。時刻情報の取得は、以下のようにして行われる。すなわち、BBフレームの構成に必要なパケットが、図示せぬスケジューラに到着すると、フレーム生成部６６でのBBフレームが生成されるときの時刻tから、そのBBフレームを含んで構成される物理層フレームが求められ、その物理層フレームの第２プリアンブルPreambleの先頭の時刻Tが求時刻Tが求められる。そして、時刻Tは、スケジューラからコントロール信号として、時刻情報取得部６２に供給される。時刻情報は、後述するプリアンブル生成部６３で第２プリアンブルPreambleに含められる。なお、時刻情報は、SFN同期に用いることができる。
【０１９８】
プリアンブル生成部６３は、時刻情報取得部６２からの時刻情報を、例えば、第２プリアンブルPreambleに含めたプリアンブル（第１プリアンブルBS、第２プリアンブルPreamble）を生成し、フレーム生成部６６に供給する。
【０１９９】
コンポーネント取得部６４は、サービス（例えば、番組）を構成するコンポーネントとしての画像や音声のデータを取得し、エンコーダ６５に供給する。
【０２００】
すなわち、コンポーネント取得部６４は、例えば、既に収録されたコンテンツの保管場所から、放送時間帯に応じて該当するコンテンツを取得し、あるいはスタジオやロケーション場所からライブのコンテンツを取得し、そのコンテンツ（のデータ）を、エンコーダ６５に供給する。
【０２０１】
エンコーダ６５は、コンポーネント取得部６４から供給される画像や音声のデータを、所定の符号化方式に従って符号化し、例えば、IPパケットの形で、フレーム生成部６６に供給する。
【０２０２】
フレーム生成部６６は、順番情報取得部６１からの順番情報、プリアンブル生成部６３からのプリアンブル、及び、エンコーダ６４からのIPパケットを適宜用いて、物理層フレームを生成（構成）し、送信部６７に供給する。
【０２０３】
すなわち、フレーム生成部６６は、エンコーダ６５からのIPパケットを配置したGenericパケットを構成する。さらに、フレーム生成部６６は、GenericパケットをBBフレームのペイロードに配置するとともに、順番情報取得部６１からの順番情報をBBヘッダに含めたBBフレームを構成する。
【０２０４】
また、フレーム生成部６６は、BBフレームからFECフレームを構成し、必要な処理を施して、物理層フレームのペイロードに配置する。
【０２０５】
そして、フレーム生成部６６は、物理層フレームのペイロードに、プリアンブル生成部６３からのプリアンブルを付加することで、物理層フレームを構成し、送信部６７に供給する。
【０２０６】
送信部６７は、フレーム生成部６６からの物理層フレームのディジタル変調やアップコンバート等の処理を行い、アンテナ６８を介して、ディジタル放送信号として送信する。
【０２０７】
なお、図１７の送信装置１０において、すべての機能ブロックが、物理的に単一の装置内に配置される必要はなく、少なくとも一部の機能ブロックが、他の機能ブロックとは物理的に独立した装置として構成されるようにしてもよい。
【０２０８】
＜送信処理＞
【０２０９】
図１８は、図１７の送信装置１０が行う送信処理の例を説明するフローチャートである。
【０２１０】
ステップＳ１１において、時刻情報取得部６２は、時刻情報を取得し、プリアンブル生成部６３に供給して、処理は、ステップＳ１２に進む。
【０２１１】
ステップＳ１２では、プリアンブル生成部６３は、時刻情報取得部６２からの時刻情報を、第２プリアンブルPreambleに含めた物理層フレームのプリアンブルを生成し、フレーム生成部６６に供給して、処理は、ステップＳ１３に進む。
【０２１２】
ステップＳ１３では、順番情報取得部６１は、順番情報を取得し、フレーム生成部６６に供給して、処理は、ステップＳ１４に進む。
【０２１３】
ステップＳ１４では、コンポーネント取得部６４は、サービスを構成するコンポーネントとしての画像や音声のデータを取得し、エンコーダ６５に供給する。
【０２１４】
エンコーダ６５は、コンポーネント取得部６４から供給される画像や音声のデータの符号化等の処理を行い、IPパケットの形で、フレーム生成部６６に供給して、処理は、ステップＳ１４からステップＳ１５に進む。
【０２１５】
ステップＳ１５では、フレーム生成部６６は、順番情報取得部６１からの順番情報、プリアンブル生成部６３からのプリアンブル、及び、エンコーダ６４からのIPパケットを適宜用いて、物理層フレームを生成し、送信部６７に供給して、処理は、ステップＳ１６に進む。
【０２１６】
ステップＳ１６では、送信部６７は、フレーム生成部６６からの物理層フレームを、アンテナ６８を介して、ディジタル放送信号として送信する。
【０２１７】
＜受信装置２０の構成例＞
【０２１８】
図１９は、図１の受信装置２０の構成例を示すブロック図である。
【０２１９】
図１９において、受信装置２０は、アンテナ７１、チューナ７２、復調部７３、処理部７４、表示部７５、及び、スピーカ７６から構成される。
【０２２０】
アンテナ７１は、送信装置１０からのディジタル放送信号を受信し、チューナ７２に供給する。
【０２２１】
チューナ７２は、アンテナ７１からのディジタル放送信号から、所定の周波数チャンネルの成分を選局することで、その周波数チャンネルで送信されてくる物理層フレームを受信し、復調部７３に供給する。
【０２２２】
復調部７３は、チューナ７２から供給される物理層フレームの復調処理を行う。
【０２２３】
すなわち、復調部７３は、物理層フレームのプリアンブル（第１プリアンブルBS、第２プリアンブルPreamble）を復調し、さらに、そのプリアンブルの復調結果を必要に応じて用いて、物理層フレームのペイロードを復調する。
【０２２４】
また、復調部７３は、物理層フレームのペイロードの復調によって得られるFECフレームを復調（復号）する。
【０２２５】
そして、復調部７３は、FECフレームの復調の結果得られるBBフレームから、Genericパケットを復調し、そのGenericパケットから、IPパケットを復調して、処理部７４に供給する。
【０２２６】
また、復調部７３は、復調処理において、物理層フレームのプリアンブルに含まれる時刻情報や、BBフレームのBBヘッダに含まれる順番情報を取得し、処理部７４に供給する。
【０２２７】
処理部７４は、復調部７３からのIPパケットから番組の画像や音声を復号し、画像を表示部７５に供給するとともに、音声をスピーカ７６に供給する。
【０２２８】
また、処理部７４（又は復調部７３）は、復調部７３からの時刻情報や順番情報を用いて、必要な処理を行う。
【０２２９】
すなわち、処理部７４（又は復調部７３）は、時刻情報を用いて、例えば、送信装置１０との同期をとる処理等を行う。また、処理部７４は、順番情報を用いて、BBフレーム（に配置されたGenericパケットのペイロードに含まれるIPパケット）の順番や時間を維持する処理等を行う。なお、時刻情報は、その他、例えば、DVB-T.2のSFN同期のような同期等に適用することができる。
【０２３０】
表示部７５は、処理部７４からの画像を表示する。スピーカ７６は、処理部７４からの音声を出力する。
【０２３１】
なお、図１９の受信装置２０においては、表示部７５及びスピーカ７６が内蔵されている構成を説明したが、表示部７５及びスピーカ７６は、外部に設けてもよい。
【０２３２】
＜受信処理＞
【０２３３】
図２０は、図１９の受信装置２０が行う受信処理を説明するフローチャートである。
【０２３４】
ステップＳ２１において、チューナ７２は、アンテナ７１からのディジタル放送信号から、物理層フレームを受信し、復調部７３に供給して、処理は、ステップＳ２２に進む。
【０２３５】
ステップＳ２２では、復調部７３は、チューナ７２から供給される物理層フレームの復調処理を行い、その結果得られるIPパケットや、時刻情報、順序情報を、処理部７４に供給して、処理は、ステップＳ２３に進む。
【０２３６】
ステップＳ２３では、処理部７４は、時刻情報を用いて、送信装置１０との同期をとる処理を行い、さらに、順番情報を用いて、BBフレーム（に配置されたGenericパケットのペイロードに含まれるIPパケット）の順番を維持する処理を行う。
【０２３７】
そして、処理部７４は、送信装置１０との同期がとられ、BBフレームの順番が維持された状態の下で、復調部７３からのIPパケットから番組の画像や音声を復号し、画像を表示部７５に供給して表示させるとともに、音声をスピーカ７６に供給して出力させる。
【０２３８】
以上のように、図１の伝送システムでは、送信装置１０が、物理層フレームのプリアンブルに、時刻情報を含めて送信するとともに、BBフレームのBBヘッダに、順番情報を含めて送信するので、時刻情報や順番情報を効率的に伝送することができる。
【０２３９】
さらに、図１の伝送システムでは、受信装置２０が、物理層フレームのプリアンブルに含まれる時刻情報や、BBフレームのBBヘッダに含まれる順番情報を用いて、処理を行うので、迅速に処理を行うことができる。
【０２４０】
なお、以上においては、図１の伝送システムにおいて、IPパケットを伝送することとしたが、IPパケット以外のデータを伝送することができる。すなわち、例えば、順番情報として、BBフレームどうしの間の時間の調整を行うことができるクロックカウント値やオフセット時刻を採用する場合には、例えば、TSパケットを伝送することができる。
【０２４１】
また、図１の伝送システムは、例えば、ATSC3.0や、DVB，ISDB等の任意のデータ伝送に適用することができる。
【０２４２】
＜DVB-T.2の物理層フレーム＞
【０２４３】
図２１は、DVB-T.2の物理層フレームであるT2フレーム(T2frame)の構成を示す図である。
【０２４４】
T2フレームは、プリアンブルとしてのP1及びP2と、ペイロードとしてのデータシンボル(Data Symbols)とを有する。
【０２４５】
P1は、P1 signalingを有し、P2は、L1-pre signaling及びL1-post signalingを有する。
【０２４６】
L1-post signalingは、Configurable, Dynamic, Extension, CRC, L1 paddingを有する。
【０２４７】
時刻情報は、以上のようなT2フレームのプリアンブル（のうちの、例えば、P2）に含めることができる。
【０２４８】
また、順番情報は、以上のようなT2フレームのデータシンボルとして配置されるBBフレームのBBヘッダに含めることができる。
【０２４９】
＜本技術を適用したコンピュータの説明＞
【０２５０】
次に、送信装置１０や受信装置２０の一連の処理は、ハードウェアにより行うこともできるし、ソフトウェアにより行うこともできる。一連の処理をソフトウェアによって行う場合には、そのソフトウェアを構成するプログラムが、コンピュータにインストールされる。
【０２５１】
図２２は、上述した一連の処理を実行するプログラムがインストールされるコンピュータの一実施の形態の構成例を示すブロック図である。
【０２５２】
プログラムは、コンピュータに内蔵されている記録媒体としてのハードディスク１０５やROM１０３に予め記録しておくことができる。
【０２５３】
あるいはまた、プログラムは、リムーバブル記録媒体１１１に格納（記録）しておくことができる。このようなリムーバブル記録媒体１１１は、いわゆるパッケージソフトウエアとして提供することができる。ここで、リムーバブル記録媒体１１１としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【０２５４】
なお、プログラムは、上述したようなリムーバブル記録媒体１１１からコンピュータにインストールする他、通信網や放送網を介して、コンピュータにダウンロードし、内蔵するハードディスク１０５にインストールすることができる。すなわち、プログラムは、例えば、ダウンロードサイトから、ディジタル衛星放送用の人工衛星を介して、コンピュータに無線で転送したり、LAN(Local Area Network)、インターネットといったネットワークを介して、コンピュータに有線で転送することができる。
【０２５５】
コンピュータは、CPU(Central Processing Unit)１０２を内蔵しており、CPU１０２には、バス１０１を介して、入出力インタフェース１１０が接続されている。
【０２５６】
CPU１０２は、入出力インタフェース１１０を介して、ユーザによって、入力部１０７が操作等されることにより指令が入力されると、それに従って、ROM(Read Only Memory)１０３に格納されているプログラムを実行する。あるいは、CPU１０２は、ハードディスク１０５に格納されたプログラムを、RAM(Random Access Memory)１０４にロードして実行する。
【０２５７】
これにより、CPU１０２は、上述したフローチャートにしたがった処理、あるいは上述したブロック図の構成により行われる処理を行う。そして、CPU１０２は、その処理結果を、必要に応じて、例えば、入出力インタフェース１１０を介して、出力部１０６から出力、あるいは、通信部１０８から送信、さらには、ハードディスク１０５に記録等させる。
【０２５８】
なお、入力部１０７は、キーボードや、マウス、マイク等で構成される。また、出力部１０６は、LCD(Liquid Crystal Display)やスピーカ等で構成される。
【０２５９】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０２６０】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０２６１】
さらに、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２６２】
なお、本技術の実施の形態は、上述した実施の形態に限定されるものではなく、本技術の要旨を逸脱しない範囲において種々の変更が可能である。
【０２６３】
例えば、本技術は、１つの機能をネットワークを介して複数の装置で分担、共同して処理するクラウドコンピューティングの構成をとることができる。
【０２６４】
また、上述のフローチャートで説明した各ステップは、１つの装置で実行する他、複数の装置で分担して実行することができる。
【０２６５】
さらに、１つのステップに複数の処理が含まれる場合には、その１つのステップに含まれる複数の処理は、１つの装置で実行する他、複数の装置で分担して実行することができる。
【０２６６】
また、本明細書に記載された効果はあくまで例示であって限定されるものではなく、他の効果があってもよい。
【０２６７】
なお、本技術は、以下のような構成をとることができる。
【０２６８】
＜１＞
プリアンブルとペイロードとを有する物理層フレームのストリームにおける所定の位置の時刻を表す時刻情報を前記プリアンブルに含む前記物理層フレームを生成する生成部と、
前記物理層フレームを送信する送信部と
を備える送信装置。
＜２＞
前記プリアンブルは、第１プリアンブルと、前記第１プリアンブルに続く第２プリアンブルとを有し、
前記時刻情報は、
前記第２プリアンブルに含まれ、
前記第２プリアンブルの先頭の位置の時刻を表す
＜１＞に記載の送信装置。
＜３＞
前記時刻情報は、
NTP(Network Time Protocol)で規定される時刻の情報、
3GPP(Third Generation Partnership Project)で規定される時刻の情報、
又は、PTP(Precise Time Protocol)で規定される時刻の情報である
＜１＞又は＜２＞に記載の送信装置。
＜４＞
プリアンブルとペイロードとを有する物理層フレームのストリームにおける所定の位置の時刻を表す時刻情報を前記プリアンブルに含む前記物理層フレームを生成することと、
前記物理層フレームを送信することと
を含む送信方法。
＜５＞
プリアンブルとペイロードとを有する物理層フレームのストリームにおける所定の位置の時刻を表す時刻情報を前記プリアンブルに含む前記物理層フレームを受信する受信部と、
前記物理層フレームのプリアンブルに含まれる前記時刻情報を用いて、処理を行う処理部と
を備える受信装置。
＜６＞
前記プリアンブルは、第１プリアンブルと、前記第１プリアンブルに続く第２プリアンブルとを有し、
前記時刻情報は、
前記第２プリアンブルに含まれ、
前記第２プリアンブルの先頭の位置の時刻を表す
＜５＞に記載の受信装置。
＜７＞
前記時刻情報は、
NTP(Network Time Protocol)で規定される時刻の情報、
3GPP(Third Generation Partnership Project)で規定される時刻の情報、
又は、PTP(Precise Time Protocol)で規定される時刻の情報である
＜５＞又は＜６＞に記載の受信装置。
＜８＞
プリアンブルとペイロードとを有する物理層フレームのストリームにおける所定の位置の時刻を表す時刻情報を前記プリアンブルに含む前記物理層フレームを受信することと、
前記物理層フレームのプリアンブルに含まれる前記時刻情報を用いて、処理を行うことと
を含む受信方法。
＜９＞
BB(BaseBand)フレームの順番に関する順番情報をBBヘッダに含む前記BBフレームを生成する生成部と、
前記BBフレームを送信する送信部と
を備える送信装置。
＜１０＞
前記順番情報は、前記BBフレームをカウントしたフレームカウント値である
＜９＞に記載の送信装置。
＜１１＞
前記順番情報は、前記BBフレームを含む物理層フレームのストリームにおける所定の位置の時刻を基準とする、前記BBフレームの位置の相対的な時刻を表すオフセット時刻である
＜９＞に記載の送信装置。
＜１２＞
前記順番情報は、所定のクロックをカウントしたクロックカウント値である
＜９＞に記載の送信装置。
＜１３＞
BB(BaseBand)フレームの順番に関する順番情報をBBヘッダに含む前記BBフレームを生成することと、
前記BBフレームを送信することと
を含む送信方法。
＜１４＞
BB(BaseBand)フレームの順番に関する順番情報をBBヘッダに含む前記BBフレームを受信する受信部と、
前記BBフレームの前記BBヘッダに含まれる前記順番情報を用いて、処理を行う処理部と
を備える受信装置。
＜１５＞
前記順番情報は、前記BBフレームをカウントしたフレームカウント値である
＜１４＞に記載の受信装置。
＜１６＞
前記順番情報は、前記BBフレームを含む物理層フレームのストリームにおける所定の位置の時刻を基準とする、前記BBフレームの位置の相対的な時刻を表すオフセット時刻である
＜１４＞に記載の受信装置。
＜１７＞
前記順番情報は、所定のクロックをカウントしたクロックカウント値である
＜１４＞に記載の受信装置。
＜１８＞
BB(BaseBand)フレームの順番に関する順番情報をBBヘッダに含む前記BBフレームを受信することと、
前記BBフレームの前記BBヘッダに含まれる前記順番情報を用いて、処理を行うことと
を含む受信方法。
【符号の説明】
【０２６９】
１０  送信装置，  ２０  受信装置，  ３０  伝送路，  ６１  順番情報取得部，  ６２  時刻情報取得部，  ６３  プリアンブル生成部，  ６４  コンポーネント取得部，  ６５  エンコーダ，  ６６  フレーム生成部，  ６７  送信部，  ６８，７１  アンテナ，  ７２  チューナ，  ７３  復調部，  ７４  処理部，  ７５  表示部，  ７６  スピーカ，  １０１  バス，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体
【図１】
2016140089.tif 000003
【図２】
2016140089.tif 000004
【図３】
2016140089.tif 000005
【図４】
2016140089.tif 000006
【図５】
2016140089.tif 000007
【図６】
2016140089.tif 000008
【図７】
2016140089.tif 000009
【図８】
2016140089.tif 000010
【図９】
2016140089.tif 000011
【図１０】
2016140089.tif 000012
【図１１】
2016140089.tif 000013
【図１２】
2016140089.tif 000014
【図１３】
2016140089.tif 000015
【図１４】
2016140089.tif 000016
【図１５】
2016140089.tif 000017
【図１６】
2016140089.tif 000018
【図１７】
2016140089.tif 000019
【図１８】
2016140089.tif 000020
【図１９】
2016140089.tif 000021
【図２０】
2016140089.tif 000022
【図２１】
2016140089.tif 000023
【図２２】
2016140089.tif 000024
【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
プリアンブルとペイロードとを有する物理層フレームのストリームにおける所定の位置の時刻を表す時刻情報を前記プリアンブルに含む前記物理層フレームを生成する生成部と、
前記物理層フレームを送信する送信部と
を備え、
前記プリアンブルは、第１プリアンブルと、前記第１プリアンブルに続く第２プリアンブルとを有し、
前記時刻情報は、
前記第２プリアンブルに含まれ、
前記第１プリアンブルの先頭の位置の時刻を表す
送信装置。
【請求項２】
（削除）
【請求項３】
前記時刻情報は、
ＰＴＰ（Ｐｒｅｃｉｓｅ  Ｔｉｍｅ  Ｐｒｏｔｏｃｏｌ）で規定される時刻の情報である
請求項１に記載の送信装置。
【請求項４】
プリアンブルとペイロードとを有する物理層フレームのストリームにおける所定の位置の時刻を表す時刻情報を前記プリアンブルに含む前記物理層フレームを生成することと、
前記物理層フレームを送信することと
を含み、
前記プリアンブルは、第１プリアンブルと、前記第１プリアンブルに続く第２プリアンブルとを有し、
前記時刻情報は、
前記第２プリアンブルに含まれ、
前記第１プリアンブルの先頭の位置の時刻を表す
送信方法。
【請求項５】
プリアンブルとペイロードとを有する物理層フレームのストリームにおける所定の位置の時刻を表す時刻情報を前記プリアンブルに含む前記物理層フレームを受信する受信部と、
前記物理層フレームのプリアンブルに含まれる前記時刻情報を用いて、処理を行う処理部と
を備え、
前記プリアンブルは、第１プリアンブルと、前記第１プリアンブルに続く第２プリアンブルとを有し、
前記時刻情報は、
前記第２プリアンブルに含まれ、
前記第１プリアンブルの先頭の位置の時刻を表す
受信装置。
【請求項６】
（削除）
【請求項７】
前記時刻情報は、
ＰＴＰ（Ｐｒｅｃｉｓｅ  Ｔｉｍｅ  Ｐｒｏｔｏｃｏｌ）で規定される時刻の情報である
請求項５に記載の受信装置。
【請求項８】
プリアンブルとペイロードとを有する物理層フレームのストリームにおける所定の位置の時刻を表す時刻情報を前記プリアンブルに含む前記物理層フレームを受信することと、
前記物理層フレームのプリアンブルに含まれる前記時刻情報を用いて、処理を行うことと
を含み、
前記プリアンブルは、第１プリアンブルと、前記第１プリアンブルに続く第２プリアンブルとを有し、
前記時刻情報は、
前記第２プリアンブルに含まれ、
前記第１プリアンブルの先頭の位置の時刻を表す
受信方法。
【請求項９】
ＢＢ（ＢａｓｅＢａｎｄ）パケットの順番に関する順番情報をＢＢヘッダに含む前記ＢＢパケットを生成する生成部と、
前記ＢＢパケットを送信する送信部と
を備え、
前記順番情報は、前記ＢＢパケットをカウントしたパケットカウント値である
送信装置。
【請求項１０】
（削除）
【請求項１１】
（削除）
【請求項１２】
（削除）
【請求項１３】
ＢＢ（ＢａｓｅＢａｎｄ）パケットの順番に関する順番情報をＢＢヘッダに含む前記ＢＢパケットを生成することと、
前記ＢＢパケットを送信することと
を含み、
前記順番情報は、前記ＢＢパケットをカウントしたパケットカウント値である
送信方法。
【請求項１４】
ＢＢ（ＢａｓｅＢａｎｄ）パケットの順番に関する順番情報をＢＢヘッダに含む前記ＢＢパケットを受信する受信部と、
前記ＢＢパケットの前記ＢＢヘッダに含まれる前記順番情報を用いて、処理を行う処理部と
を備え、
前記順番情報は、前記ＢＢパケットをカウントしたパケットカウント値である
受信装置。
【請求項１５】
（削除）
【請求項１６】
（削除）
【請求項１７】
（削除）
【請求項１８】
ＢＢ（ＢａｓｅＢａｎｄ）パケットの順番に関する順番情報をＢＢヘッダに含む前記ＢＢパケットを受信することと、
前記ＢＢパケットの前記ＢＢヘッダに含まれる前記順番情報を用いて、処理を行うことと
を含み、
前記順番情報は、前記ＢＢパケットをカウントしたパケットカウント値である
受信方法。
【国際調査報告】
2016140089.tif 000025
2016140089.tif 000026